(57)【要約】      （修正有）【課題】連窓の四周の気密性を向上させながら、その気密部材の取付けにおいて気密部材が撓んだりすることを防止して、良好な気密状態を発揮させることができる連窓を提供する。【解決手段】方立１と、方立１に連結する半外付けサッシとを備え、見込み方向で半外付けサッシを建物の開口部に固定する位置と略一致する位置において、方立１の側面に隣接してタイト材５aが室内方向に向けて配設されており、半外付けサッシが方立１の側面に隣接して配設されたタイト材５aに対して室内側から当接する。【選択図】図２
2015190278.tif 000002
【特許請求の範囲】
【請求項１】
方立と、方立に連結する半外付けサッシとを備え、
見込み方向で半外付けサッシを建物の開口部に固定する位置と略一致する位置において、方立の側面に隣接してタイト材が室内方向に向けて配設されており、
半外付けサッシが方立の側面に隣接して配設されたタイト材に対して室内側から当接する
ことを特徴とする連窓。
【発明の詳細な説明】
【技術分野】
【０００１】
本発明は、隣接する半外付けサッシを方立により連結してなる連窓に関する。
【背景技術】
【０００２】
隣接する半外付けサッシを方立により連結してなる連窓において、半外付けサッシの縦枠と方立との間の気密は両者の室外側の部位間に気密部材を設けることにより行っていた。
【先行技術文献】
【特許文献】
【０００３】
【特許文献１】特開平７−２１７３１７号公報
【発明の概要】
【発明が解決しようとする課題】
【０００４】
しかしながら、半外付けサッシと建物の開口部との間の気密は、半外付けサッシを建物の開口部に取付けるための縦枠の中間片と建物の開口部との間に気密部材を設けることにより行われることが多く、半外付けサッシと建物の開口部との間の気密と半外付けサッシと方立との間の気密とが連続、もしくは、近接せず、半外付けサッシの四周に亘る気密を行うことが難しかった。
【０００５】
本発明は、上記事情を鑑みたものであり、連窓を構成する各半外付けサッシの四周に亘る気密性を向上させながら、気密部材に無理な力が加わることを防いで、良好な気密状態を維持できる連窓を提供することを目的とする。
【課題を解決するための手段】
【０００６】
本発明は、方立と、方立に連結する半外付けサッシとを備え、方立の側面であって見込み方向で半外付けサッシを建物の開口部に固定する位置と略一致する位置にタイト材が室内方向に向けて配設されており、半外付けサッシが方立の側面に配設されたタイト材に対して室内側から当接することを特徴とする。
【発明の効果】
【０００７】
本発明によれば、半外付けサッシと建物の開口部との間の気密と半外付けサッシと方立との間の気密とを連携させることができ、連窓における各半外付けサッシの四周にわたる気密性を向上させることができる。また、半外付けサッシの取付け時等に気密部材に無理な力が加わり変形をすることが防止でき、良好な気密状態を維持することができる。
【図面の簡単な説明】
【０００８】
【図１】（ａ）は、本発明の第１の実施形態に係る連窓の方立の横断面図、（ｂ）は、方立の右側に隣接する半外付けサッシの左縦枠の横断面図である。
【図２】本発明の第１の実施形態に係る連窓の縦枠が連結された方立の横断面図である。
【図３】本発明の第２の実施形態に係る連窓の縦枠が連結された方立の横断面図である。
【図４】本発明の第３の実施形態に係る連窓の縦枠が連結された方立の横断面図である。
【図５】本発明の第４の実施形態に係る連窓の縦枠が連結された方立の横断面図である。
【発明を実施するための形態】
【０００９】
（全体の構成）
本発明の連窓は、方立１と方立１に連結される左右の半外付けサッシとからなり、半外付けサッシの各枠の見込み方向中間位置に設けた中間片を建物の開口部に固定することにより、建物の開口部に装着されている。
【００１０】
−第１の実施形態−
本発明の第1の実施形態を、図１、２を参照して説明する。
（方立の構成）
方立１は、アルミ材の押出形材からなり、図１(ａ)に示すように、方立１の室外側見付け面を構成する室外壁１１と、室外壁１１から室内側に延設される本体部１２とから構成されている。
【００１１】
本体部１２は、その室内側に中空矩形の中空部１２１を有しており、本体部１２の側面の見込み方向中間位置には、側面に隣接して室内方向に向けて開口するタイト材ホルダ１２１ａが設けられるとともに、タイト材ホルダ１２１ａには、タイト材５ａが室内方向に向けてそれぞれ装着されている。
【００１２】
中空部１２１の室内側は、半外付けサッシの縦枠３を連結固定するための連結部１２２として構成され、連結部１２２には長さ方向に沿って所定数のネジ孔が設けられており、ネジ孔の左右方向両側には、回転止め突起１２３ａが設けてある。また、連結部１２２の左右方向両側には、中空部１２１の側面に隣接して室内側に屈曲する係止部１２２ａが形成されている。中空部１２１の側面に配置されたタイト材５ａと係止部１２２ａとは見込み方向に略重なっている。
【００１３】
連結部１２２の室内側には、連結部１２２と協働して半外付けサッシの縦枠３を連結固定する連結具１３が連結部１２２のネジ孔に対応して複数個配置されている。連結具１３は、ピース状の部材からなり、その中央には、ネジ等の固定手段１３ａを回転自在に保持する保持孔１３ｂが形成されているとともに、連結具１３の保持孔１３ｂの上下には、回転止め凸部１３ｃが形成されている。
連結具１３の左右両端は、方立１に取付けられた連結具１３を室内側から覆うカバー部材１４を係止するための係止部として構成されている。
【００１４】
（半外付けサッシの縦枠の構成）
半外付けサッシを構成する縦枠３は、アルミ材の押出形材からなり、図１（ｂ）に示すように、建物の開口部の内周を覆う縦枠本体３１と、縦枠本体３１の室外側端部より外周方向へ延びる室外片３２と、縦枠本体３１の見込み方向略中間位置より外周方向へ向けて延びる中間片３３と、縦枠本体３１の室内側端部より外周方向へ延びる室内片３４と、縦枠本体３１の内周方向に設けられた内周片３５とにより構成されている。
【００１５】
縦枠３の中間片３３は、その外周方向の中程に室内側に突出する当接片３３ａを備えており、当接片３３ａより外周部分が、縦枠３を建物の開口部に固定する際の固定部３３ｂとして構成されている。当接片３３ａの外周側には、固定部３３ｂを切除する際に切除の補助となる溝部３３ｃが設けられている。
【００１６】
縦枠３の室内片３４は、その外周側端部が室外側に屈曲されており、固定片３４ａが形成されている。室内片３４の固定片３４ａと中間片３３の当接片３３ａとは、見込み方向に略重なっている。
【００１７】
そして、縦枠３は、中間片３３の固定部３３ｂが溝部３３ｃにおいて切除された状態で方立１に連結される。なお、本実施形態においては、方立１に連結固定される縦枠として、通常単窓用として使用される縦枠３を用いており、そのために中間片３３の固定部３３ｂを切除して方立１に連結しているが、方立１に連結固定される縦枠３として中間片３３に固定部３３ｂを有しない専用の縦枠を用いてもよい。
【００１８】
（連結構造）
図２に示すように、方立１と縦枠３との連結は、方立１の係止部１２２ａと連結具１３の室外側面とによって縦枠３の固定片３４ａを挟持固定することによってなされる。
方立１と縦枠３とを連結するには、連結具１３を締め付け固定する固定手段１３ａを緩めることにより、方立１と連結具１３とを離間させ、方立１の係止部１２２ａと連結具１３の室外側面との間に、縦枠３の固定片３４ａを挿入し、方立１に対して縦枠３を近接させる。
【００１９】
方立１に対して縦枠３が所定の位置まで近接すると、縦枠３の中間片３３の当接片３３ａが方立１の中空部１２１の側面に当接するので、縦枠３はそれ以上方立１に対して近接することができず、縦枠３は方立１に対して左右方向の位置決めがなされる。
【００２０】
縦枠３の位置決めがなされた状態において、連結具１３の固定手段１３ａを締め込むことにより、連結具１３の室外側面と連結部１２２の係止部１２２ａとの間に縦枠３の固定片３４ａが挟持されるとともに、縦枠３の室外片３２が方立１の室外壁１１に当接、もしくは、近接して、方立１に対して縦枠３を連結固定することができる。
【００２１】
そして、固定手段１３ａが締め込まれる時に、縦枠３の当接片３３ａが方立１の側面を沿うように室外側に移動し、中間片３３の先端室外側面が方立１のタイト材ホルダ１２１ａに装着されたタイト材５ａに室内側から直線的に当接することにより、方立１と縦枠３との間のシールが良好に行われる。
【００２２】
なお、方立１の連結部１２２のネジ孔の左右の回転止め突起１２３ａ，１２３ａの間に連結具１３の回転止め凸部１３ｃが嵌まることにより、固定手段１３ａを締め込むときに一緒に連結具１３が回転してしまうことが防止される。
【００２３】
このように、方立１に対して縦枠３を連結固定する際には、縦枠３の中間片３３の当接片３３ａが方立１の本体部１２の側面に当接することにより、縦枠３の左右方向の位置決めがなされ、その状態から固定手段１３ａを締め込むことにより、当接片３３ａが方立１の側面に沿って移動し、方立１の側面に隣接して設けたタイト材５ａに対して室内方向から直線的に当接するので、タイト材５ａに無理な力が加わらず、良好な当接状態を作ることができる。
【００２４】
また、タイト材５ａを装着するタイト材ホルダ１２１ａは方立１の本体部１２に対して隣接して設けられるので、タイト材５ａに縦枠３の中間片３３が当接した際にタイト材ホルダ１２１ａが撓むことがない。さらに、縦枠３を方立１に連結固定させる係止部１２２ａ（固定片３４ａ）の位置とタイト材５ａの位置とが見込み方向に略重なっているので、連結具１３を締め付け固定する際に、縦枠３に固定片３４ａを軸とするモーメントが発生することを減少させることができる。
【００２５】
以下に、本発明の第２乃至４の実施形態について説明する。なお、基本的な構成については、第１の実施形態と同様である。
【００２６】
−第２の実施形態−
本発明の第２の実施形態を、図３を参照して説明する。
第２の実施形態は、建物の開口部の幅に対して連窓の幅が小さい時などにその差を吸収する必要がある場合や、意匠的に方立を太くする場合などに採用されるものである。
【００２７】
第２の実施形態においては、方立１の幅を大きく構成するために、方立１の本体部１２の室内側の中空部１２１の幅が大きく形成されており、方立１の幅を大きくすることによる強度の低下を防止するために、中空部１２１と室外壁１１とを連結する部分を中空矩形に構成している点で、第１の実施形態と異なっている。
【００２８】
このように、方立１の幅を大きく形成するに際しても、方立１の中空部１２１の側面より突出する取付片等の部材を設けることなく、タイト材ホルダ１２１ａを中空部１２１の側面に隣接して形成することにより、気密状態において、タイト材ホルダが撓むことが防止でき、タイト材５ａによる良好な気密が維持できる。
【００２９】
なお、第２の実施形態においては、方立１の連結部１２２の幅が広いために連結具１３の回転を止める左右の回転止め突起１２３ａの間隔を広くとることができるので、それに合わせて連結具１３の回転止め凸部１３ｃを形成している。
【００３０】
−第３の実施形態−
本発明の第３の実施形態を、図４を参照して説明する。
第３の実施形態は、建物の開口部の幅に対して連窓の幅が大きい時などにその差を吸収する必要がある場合や、意匠的に方立を細くする場合などに採用されるものである。
【００３１】
第３の実施形態においては、方立１の幅を小さく構成するために、方立１の本体部１２はその室内側に中空部１２１が形成されず、本体部１２が室外壁１１の幅方向中央より室内方向に延設される板状部材により形成されている点で、第１の実施形態と異なっている。
【００３２】
方立１の本体部１２を板状部材で形成した際にも、タイト材ホルダ１２１ａは板状部材の両側面に隣接して形成されている。また、方立１の本体部１２は、タイト材ホルダ１２１ａの室内側において左右のどちらか一方向に若干屈曲されて延設されており、その室内側端部を左右の他方向に屈曲して連結部１２２が形成されている。
【００３３】
そして、連結部１２２の両側端は室内側に向けて係止部１２２ａが形成されるとともに、方立１の連結部１２２のネジ孔の両側には回転止め突起１２３ａが形成されている。
【００３４】
−第４の実施形態−
本発明の第４の実施形態を、図５を参照して説明する。
第４の実施形態においては、方立１の中空部１２１の室内側には係止部１２２ａが形成されておらず、連結具１３の室外側面より方立１の中空部１２１の左右両側に沿って連結脚部１３１ａが延設されている点で、第１の実施形態と異なっている。
【００３５】
そして、固定手段１３ａを締め込むことにより、縦枠３の中間片３３の当接片３３ａが連結脚部１３１ａに係止されるとともに、方立１のタイト材ホルダ１２１ａに装着されたタイト材５ａと方立１の室内側に締付け固定される連結具１３の連結脚部１３１ａとにより、縦枠３の中間片３３を挟持することにより、方立１と縦枠３とが連結される。
【００３６】
固定手段１３ａの締め付け時には、連結具１３の室外側面より延設される連結脚部１３１ａが方立１の本体部１２の中空部１２１を側面から挟み込むことにより、連結具１３が回転することを防止でき、連結脚部１３１ａが縦枠３の中間片３３をタイト材５ａに直接押しながら連結されるので、タイト材５ａに対する中間片３３の当接を確実にすることができる。
【００３７】
−本発明の実施形態による作用・効果−
以上のように、本発明の各実施形態の連窓は、半外付けサッシと方立との気密を行うタイト材を方立の側面の見込み方向中間位置、具体的には、半外付けサッシを建物の開口部に固定する位置と略一致する位置に配置して、タイト材に対して半外付けサッシを当接することにより気密を行うので、半外付けサッシと方立との気密を半外付けサッシの他の枠と建物の開口部との気密と連続させて連窓の四周に亘って気密ラインを構成できるので、良好な気密状態を構築することができる。
【００３８】
そして、半外付けサッシを連結する方立の側面に隣接して室内方向に向けてタイト材ホルダが配置されているので、タイト材ホルダに装着されたタイト材に縦枠３の中間片３３が当接してもタイト材ホルダが撓むことが少なく、縦枠３を連結固定する時にもタイト材に対して中間片３３が室内側から直線的に当接することにより、タイト材がゆがんだ当接状態となることを防止でき、安定した気密状態を発生させることができる。
【符号の説明】
【００３９】
１  方立
１１  室外壁
１２  本体部
１２１  中空部
１２１ａ  タイト材ホルダ
１２２  連結部
１２２ａ  係止部
１２３ａ  回転止め突起
１３  連結具
１３ａ  固定手段
１３ｂ  保持孔
１３ｃ  回転止め凸部
１３１ａ  連結脚部
１４  カバー部材
３  縦枠
３１  縦枠本体
３２  室外片
３３  中間片
３３ａ  当接片
３３ｂ  固定部
３３ｃ  溝部
３４  室内片
３４ａ  固定片
３５  内周片
５ａ  タイト材
【図１】
2015190278.tif 000003
【図２】
2015190278.tif 000004
【図３】
2015190278.tif 000005
【図４】
2015190278.tif 000006
【図５】
2015190278.tif 000007